(57)【特許請求の範囲】
【請求項１】
対象者の夜間における行動を判定する為に、夜尿に関する情報及び姿勢に関する情報を取得し、対象者の夜尿に関する情報に基づいて警報を発するとともに、対象者の夜尿症治療に必要なデータを収集する夜尿症治療システムであって、
前記夜尿に関する情報に基づいて夜尿の有無及び、夜尿時刻を判定し、前記夜尿時刻から一定時間における前記姿勢に関する情報に基づいて対象者の離床状態を判定する判定手段を備え、
前記判定手段は、夜尿無と判定されている状態において、前記対象者の離床状態を判定した後、更に入床状態を判定した場合、前記離床状態を判定した時刻を対象者が随意で排泄した時刻であることを示す排泄時刻として判定する、夜尿症治療システム。
【請求項２】
前記判定手段による判定結果に基づいて、夜尿した場合、夜尿せず随意で排泄した場合及び、夜尿せず随意で排泄もしなかった場合の少なくとも３つのステータスにより出力処理する夜尿情報出力手段を備える請求項１に記載の夜尿症治療システム。
【請求項３】
前記夜尿情報出力手段は、前記夜尿時刻又は前記排泄時刻の何れかのうち最も早い時刻を用いて、前記時刻の時系列の変化を示す第１のグラフを出力処理する請求項２に記載の夜尿症治療システム。
【請求項４】
前記判定手段は、夜尿に関する情報を取得するセンサ装置より受け取った前記センサ装置の着脱に関する情報に基づいて前記センサ装置の装着を判定した後、前記対象者の最初の入床状態を判定した時刻を就寝時刻として判定する請求項３に記載の夜尿症治療システム。
【請求項５】
前記判定手段は、前記対象者の離床状態を判定した後、前記離床状態から一定時間内に夜尿に関する情報を取得するセンサ装置より受け取った前記センサ装置の着脱に関する情報に基づいて前記センサ装置の取外しを判定した場合、前記離床状態を取得した時刻を起床時刻として判定する請求項４に記載の夜尿症治療システム。
【請求項６】
前記夜尿情報出力手段は、前記起床時刻の時系列の変化に基づいて第２のグラフを形成し、前記就寝時刻の時系列の変化に基づいて第３のグラフを形成し、同じ時系列を有する前記第１のグラフ、前記第２のグラフ及び、前記第３のグラフを同時に出力処理する請求項５に記載の夜尿症治療システム。
【請求項７】
前記夜尿症治療システムは、就寝時刻、起床時刻、夜尿量、起床後の尿量並びに、警報装置の停止者を含む夜尿情報の入力を受け付ける入力手段を更に備え、
前記夜尿情報出力手段は、前記判定手段の判定結果及び、前記入力手段の入力結果に基づく夜尿情報を、少なくとも前記第１のグラフの時系列と対応付けて並べて出力処理する請求項３〜請求項６の何れかに記載の夜尿症治療システム。
【請求項８】
対象者の夜間における行動を判定する為に、夜尿に関する情報及び姿勢に関する情報を取得し、対象者の夜尿に関する情報に基づいて警報を発するとともに、対象者の夜尿症治療に必要なデータを収集する処理を夜尿症治療システムが行う夜尿症治療方法であって、
前記夜尿に関する情報に基づいて夜尿の有無及び、夜尿時刻を判定し、前記夜尿時刻から一定時間における前記姿勢に関する情報に基づいて対象者の離床状態を判定するステップをコンピュータが実行し、
前記判定するステップは、夜尿無と判定されている状態において、前記対象者の離床状態を判定した後、更に入床状態を判定した場合、前記離床状態を判定した時刻を対象者が随意で排泄した時刻であることを示す排泄時刻として判定する、夜尿症治療方法。
【請求項９】
対象者の夜間における行動を判定する為に、夜尿に関する情報及び姿勢に関する情報を取得し、対象者の夜尿に関する情報に基づいて警報を発するとともに、対象者の夜尿症治療に必要なデータを収集する夜尿症治療システムにおいて用いられる情報管理端末装置であって、
前記夜尿に関する情報に基づいて夜尿の有無及び、夜尿時刻を判定し、前記夜尿時刻から一定時間における前記姿勢に関する情報に基づいて対象者の離床状態を判定する判定手段と、
前記判定手段による判定結果に基づいて、夜尿情報を出力処理する夜尿情報出力手段と、を備え、
前記判定手段は、夜尿無と判定されている状態において、前記対象者の離床状態を判定した後、更に入床状態を判定した場合、前記離床状態を判定した時刻を対象者が随意で排泄した時刻であることを示す排泄時刻として判定する、情報管理端末装置。
【請求項１０】
対象者の夜間における行動を判定する為に、夜尿に関する情報及び姿勢に関する情報を取得し、対象者の夜尿に関する情報に基づいて警報を発するとともに、対象者の夜尿症治療に必要なデータを収集する夜尿症治療システムにおいて用いられる夜尿症治療プログラムであって、
コンピュータを、前記夜尿に関する情報に基づいて夜尿の有無及び、夜尿時刻を判定し、前記夜尿時刻から一定時間における前記姿勢に関する情報に基づいて対象者の離床状態を判定する判定手段と、
前記判定手段による判定結果に基づいて、夜尿情報を出力処理する夜尿情報出力手段と、として機能させ、
前記判定手段は、夜尿無と判定されている状態において、前記対象者の離床状態を判定した後、更に入床状態を判定した場合、前記離床状態を判定した時刻を対象者が随意で排泄した時刻であることを示す排泄時刻として判定する、夜尿症治療プログラム。
【発明の詳細な説明】
【技術分野】
【０００１】
本発明は、対象者の夜尿症治療に用いるデータを収集する為の夜尿症治療システム及び、夜尿症治療方法、夜尿症治療プログラム並びに、夜尿症治療システムにおいて用いられる警報装置及び情報管理端末装置に関する。
【背景技術】
【０００２】
近年、夜尿症治療法として患者（主に児童）の夜尿時に警告音により患者又はその家族に通知し、患者を起床させるアラーム治療法が効果的であるとされている。このような治療を繰り返すことにより、患者の夜尿時刻が徐々に明け方に遷移していき、最終的に夜尿することなく起床時刻を迎えることができる。一方、夜間に夜尿時刻を記録することは保護者にとって大きな労力となり、継続的な治療が困難であった。
【０００３】
このような状況に鑑みて、患者の着用するおむつなどの吸収性物品にセンサ装置を装着し、患者の排泄を検知及び記録する技術が提供されている。例えば特許文献１のように、患者の最早失禁時刻の記録に基づいて、失禁症状の改善度を判定し、水分摂取量や改善度などから推定される失禁時刻に警告音を発するシステムに関する技術が知られている。
【０００４】
また、特許文献２のように、衛生用品に付与された湿度センサにより検知されたデータの収集した時間などを含む情報を電子機器に送信し、電子機器上でデータを管理するシステムに関する技術が知られている。
【先行技術文献】
【特許文献】
【０００５】
【特許文献１】特開２０１７−６５９６号公報
【特許文献２】特開２０１６−１６１５７５号公報
【発明の概要】
【発明が解決しようとする課題】
【０００６】
アラーム治療法において、夜尿時に患者が自身の夜尿について自覚することが非常に重要となる。一方、従来技術では、実際に警報により患者が覚醒したかを自動的に記録することはできなかった。また、夜間に患者が自身で尿意に気付いてトイレに行き排泄するような場合、実際には排泄があったにも関わらず、そのデータを記録することはできなかった。
【０００７】
本発明は、上述したような課題に鑑みて、対象者の夜尿症治療に必要なデータを収集する新規な夜尿症治療システムを提供することを解決すべき課題とする。
【課題を解決するための手段】
【０００８】
上述したような課題を解決する為に、本発明は、対象者の夜間における行動を判定する為に、夜尿に関する情報及び姿勢に関する情報を取得し、対象者の夜尿に関する情報に基づいて警報を発するとともに、対象者の夜尿症治療に必要なデータを収集する夜尿症治療システムであって、前記夜尿に関する情報に基づいて夜尿の有無及び、夜尿時刻を判定し、前記夜尿時刻から一定時間における前記姿勢に関する情報に基づいて対象者の離床状態を判定する判定手段を備える。
【０００９】
このような構成とすることで、アラーム治療に必要な夜尿時刻の記録管理を効率よく行うことができる。また、夜尿による警報後に対象者が実際に起床したかをデータとして取得し、夜尿症治療に用いることができる。
【００１０】
本発明の好ましい形態では、前記判定手段は、夜尿無と判定されている状態において、前記対象者の離床状態を判定した後、更に入床状態を判定した場合、前記離床状態を判定した時刻を対象者が随意で排泄した時刻であることを示す排泄時刻として判定する。
このような構成とすることで、対象者が夜尿することなく、トイレにて排泄した場合の時刻も、夜間の排泄記録として取得することができる。
【００１１】
本発明の好ましい形態では、前記判定手段による判定結果に基づいて、夜尿した場合、夜尿せず随意で排泄した場合及び、夜尿せず随意で排泄もしなかった場合の少なくとも３つのステータスにより出力処理する夜尿情報出力手段を備える。
このような構成とすることで、対象者が夜尿をしたか、夜尿せずにトイレで随意で排泄をしたか、夜尿せず更にトイレで随意で排泄もしなかったか、という３つの排泄状態を一見して確認できる。
【００１２】
本発明の好ましい形態では、前記夜尿情報出力手段は、前記夜尿時刻又は前記排泄時刻の何れかのうち最も早い時刻を用いて、前記時刻の時系列の変化を示す第１のグラフを出力処理する。
このような構成とすることで、夜間において対象者がトイレで排泄をした場合の時刻も、夜尿時刻と同様のデータとして一見してグラフで確認することができる。
【００１３】
本発明の好ましい形態では、前記判定手段は、夜尿に関する情報を取得するセンサ装置より受け取った前記センサ装置の着脱に関する情報に基づいて前記センサ装置の装着を判定した後、前記対象者の最初の入床状態を判定した時刻を就寝時刻として判定する。
このような構成とすることで、対象者の就寝時刻を効率的に取得することができる。
【００１４】
本発明の好ましい形態では、前記判定手段は、前記対象者の離床状態を判定した後、前記離床状態から一定時間内に夜尿に関する情報を取得するセンサ装置より受け取った前記センサ装置の着脱に関する情報に基づいて前記センサ装置の取外しを判定した場合、前記離床状態を取得した時刻を起床時刻として判定する。
このような構成とすることで、対象者の起床時刻を効率的に取得することができる。
【００１５】
本発明の好ましい形態では、前記夜尿情報出力手段は、前記起床時刻の時系列の変化に基づいて第２のグラフを形成し、前記就寝時刻の時系列の変化に基づいて第３のグラフを形成し、同じ時系列を有する前記第１のグラフ、前記第２のグラフ及び、前記第３のグラフを同時に出力処理する。
このような構成とすることで、排泄時刻、就寝時刻及び起床時刻の対応関係を一見して確認できるＵＩ（User Interface）を提供することができる。
【００１６】
本発明の好ましい形態では、前記夜尿症治療システムは、就寝時刻、起床時刻、夜尿量、起床後の尿量並びに、警報装置の停止者を含む夜尿情報の入力を受け付ける入力手段を更に備え、前記夜尿情報出力手段は、前記判定手段の判定結果及び、前記入力手段の入力結果に基づく夜尿情報を、少なくとも前記第１のグラフの時系列と対応付けて並べて出力処理する。
このような構成とすることで、夜尿量などの追加で入力された夜尿に関するデータも、自動で収集されたデータと関連付けて確認することができる。
【００１７】
本発明は、対象者の夜間における行動を判定する為に、夜尿に関する情報及び姿勢に関する情報を取得し、対象者の夜尿に関する情報に基づいて警報を発するとともに、対象者の夜尿症治療に必要なデータを収集する処理を夜尿症治療システムが行う夜尿症治療方法であって、前記夜尿に関する情報に基づいて夜尿の有無及び、夜尿時刻を判定し、前記夜尿時刻から一定時間における前記姿勢に関する情報に基づいて対象者の離床状態を判定するステップをコンピュータが実行する。
【００１８】
本発明は、対象者の夜間における行動を判定する為に、夜尿に関する情報及び姿勢に関する情報を取得し、対象者の夜尿に関する情報に基づいて警報を発するとともに、対象者の夜尿症治療に必要なデータを収集する夜尿症治療システムにおいて用いられる警報装置であって、少なくとも夜尿に関する情報及び姿勢に関する情報を取得する情報取得手段と、取得した前記夜尿に関する情報に基づいて警報を発する警報手段と、前記夜尿に関する情報に基づいて夜尿の有無及び、夜尿時刻を判定し、前記夜尿時刻から一定時間における前記姿勢に関する情報に基づいて対象者の離床状態を判定する判定手段と、を備える。
【００１９】
本発明は、対象者の夜間における行動を判定する為に、夜尿に関する情報及び姿勢に関する情報を取得し、対象者の夜尿に関する情報に基づいて警報を発するとともに、対象者の夜尿症治療に必要なデータを収集する夜尿症治療システムにおいて用いられる夜尿症治療プログラムであって、コンピュータを、少なくとも夜尿に関する情報及び姿勢に関する情報を取得する情報取得手段と、取得した前記夜尿に関する情報に基づいて警報を発する警報手段と、前記夜尿に関する情報に基づいて夜尿の有無及び、夜尿時刻を判定し、前記夜尿時刻から一定時間における前記姿勢に関する情報に基づいて対象者の離床状態を判定する判定手段と、として機能させる。
【００２０】
本発明は、対象者の夜間における行動を判定する為に、夜尿に関する情報及び姿勢に関する情報を取得し、対象者の夜尿に関する情報に基づいて警報を発するとともに、対象者の夜尿症治療に必要なデータを収集する夜尿症治療システムにおいて用いられる情報管理端末装置であって、前記夜尿に関する情報に基づいて夜尿の有無及び、夜尿時刻を判定し、前記夜尿時刻から一定時間における前記姿勢に関する情報に基づいて対象者の離床状態を判定する判定手段と、前記判定手段による判定結果に基づいて、夜尿情報を出力処理する夜尿情報出力手段と、を備える。
【００２１】
本発明は、対象者の夜間における行動を判定する為に、夜尿に関する情報及び姿勢に関する情報を取得し、対象者の夜尿に関する情報に基づいて警報を発するとともに、対象者の夜尿症治療に必要なデータを収集する夜尿症治療システムにおいて用いられる夜尿症治療プログラムであって、コンピュータを、前記夜尿に関する情報に基づいて夜尿の有無及び、夜尿時刻を判定し、前記夜尿時刻から一定時間における前記姿勢に関する情報に基づいて対象者の離床状態を判定する判定手段と、前記判定手段による判定結果に基づいて、夜尿情報を出力処理する夜尿情報出力手段と、として機能させる。
【発明の効果】
【００２２】
本発明によれば、対象者の夜尿症治療に必要なデータを収集する新規な夜尿症治療システムを提供することができる。
【図面の簡単な説明】
【００２３】
【図１】本発明の実施形態に係る夜尿症治療システムの構成を示す図である。
【図２】本発明の実施形態に係るセンサ装置の装置構成を示す図である。
【図３】本発明の実施形態に係る警報装置の装置構成を示す図である。
【図４】本発明の実施形態に係る情報管理端末のハードウェア構成を示す図である。
【図５】本発明の実施形態に係る夜尿情報の判定処理のフローチャートである。
【図６】本発明の実施形態に係る夜尿情報入力画面及び夜尿情報表示画面の画面表示例並びに、夜尿情報のデータ構造を示す図である。
【図７】本発明の実施形態に係る夜尿記録画面及び夜尿情報出力画面の画面表示例である。
【図８】本発明の実施形態に係る診断画面の画面表示例である。
【発明を実施するための形態】
【００２４】
以下、添付図面を参照して、本発明の一実施形態について説明する。なお、以下に示す実施形態は本発明の一例であり、本発明を以下の実施形態に限定するものではなく、多くの異なる形態で実施されることが可能である。本実施形態では、例えば、夜尿症治療の対象者として児童を想定して説明するが、対象者の年齢、性別等に特に制限はない。また、夜尿症治療システムは夜尿症治療を目的とした排泄及び姿勢に関するデータの収集を行うが、排泄及び姿勢に関するデータを収集すること自体を目的として使用されてもよい。
【００２５】
例えば、本実施形態では夜尿症治療システムの構成、動作等について説明するが、同様の構成の夜尿症治療方法、警報装置、情報管理端末装置、夜尿症治療プログラム、記録媒体等も、同様の作用効果を奏することができる。また、プログラムは、記録媒体に記憶させてもよい。この記録媒体を用いれば、例えばコンピュータに前記プログラムをインストールすることができる。ここで、前記プログラムを記憶した記録媒体は、例えばＣＤ−ＲＯＭ等の非一過性の記録媒体であっても良い。
【００２６】
本発明の説明において使用される「排泄」なる単語は、例えば、対象者がトイレで排尿する随意の行為である。これに対して、「夜尿」なる単語は、夜間において対象者の不随意で尿を漏らしてしまう失禁のことを特に意味し、排泄とは区別して使用される。
【００２７】
本実施の形態における夜尿症治療システムの概要を示す図１を参照すると、夜尿症治療システムは夜尿症治療システム１として具体化されている。この夜尿症治療システム１は、センサ装置２、警報装置３、情報管理装置４を備える。本実施形態において、センサ装置２は警報装置３と、警報装置３は情報管理装置４とそれぞれ無線通信を行うが、センサ装置２が情報管理装置４と無線通信を行うように構成してもよい。本実施形態では、これらの無線通信規格として、Ｂｌｕｅｔｏｏｔｈ（登録商標）を用いる。なお、これらの無線通信は、Ｂｌｕｅｔｏｏｔｈ（登録商標）規格に限らず、ｚｉｇｂｅｅ（登録商標）や、独自のプロトコル等、他の無線通信規格によって実現されて構わない。また、通信接続形態として、有線、無線、又は有線と無線の混在等、何れの接続形態が用いられてもよい。
【００２８】
図２（ａ）に示すように、センサ装置２は、対象者の夜尿症治療の為のデータを取得する電子機器であり、対象者の夜尿を検知する夜尿センサ２１と、対象者の姿勢を検知する姿勢センサ２２と、制御部２３と、通信部２４と、を備える。
【００２９】
制御部２３は、演算装置（ＣＰＵ）、主記憶装置（ＲＡＭ）、補助記憶装置を備える。また、センサ装置２は、機能構成要素として、センサ装置２の識別情報、夜尿センサ２１により取得された夜尿に関する情報、姿勢センサ２２により取得された姿勢に関する情報及び、センサ装置２の着脱に関する情報を含むセンサ情報を発信する情報発信手段２０１を備える。
【００３０】
センサ装置２において上述した機能構成要素を論理的に実現するには、補助記憶装置にセンサプログラムをアプリケーションプログラムとしてインストールしておく。そして、センサ装置２においては、電源投入を契機に、演算装置がこの処理プログラムを主記憶装置に展開して実行する。
【００３１】
図２（ｂ）は、センサ装置２の装着例を示す図である。センサ装置２は、おむつ等の吸収性物品５に着脱可能に構成されている。吸収性物品５は、夜尿症治療の対象者、すなわち夜尿症患者に装着される。吸収性物品５は、物品本体５１及び、センサ装置２の装着位置から排泄が行われる領域にわたって延びる２つの導電性の導電部５２を備え、センサ装置２は、夜尿センサ２１及び導電部５２が電気的に接続されるように吸収性物品５に装着される。
【００３２】
本実施形態では、情報発信手段２０１は、センサ情報として、センサ値及び動作カウンタ値を送信する。センサ値は、夜尿センサ２１で取得した夜尿に関する情報、姿勢センサ２２で取得した姿勢に関する情報を少なくとも含む。動作カウンタ値は、センサ装置２より発信された情報を簡易的に識別する為の一定の周期で、１単位の発信ごとに、異なる値をとるような数値である。センサ情報は、センサ装置２の着脱に関する情報、センサ装置２の識別情報を少なくとも含み、日付、時刻を更に含んでもよい。
【００３３】
本実施形態では、夜尿センサ２１及び導電部５２が電気的に接続されると、センサ装置２の装着に関する情報がセンサ情報として出力される。また、夜尿センサ２１及び導電部５２の接続が解除されると、センサ装置２の取外しに関する情報がセンサ値として出力される。情報発信手段２０１は、通信部２４にセンサ装置２の装着又は取外しに関する情報の発信指示を出力することにより、センサ情報が送信される。
【００３４】
本実施形態では、導電部５２の夜尿領域表面に誘電体薄膜が形成されており、吸収性物品５に吸収される夜尿が電解質となり、導電部５２、誘電体薄膜及び夜尿が広義の電解コンデンサを構成する。導電部５２は回路における電極として機能し、上述の電解コンデンサは電極付近に吸収される夜尿の量及び分布に応じて異なるキャパシタンス値を示す。本実施形態において、夜尿センサ２１は、導電部５２を含む回路のキャパシタンス値の変化についてセンサ値として取得する。情報管理装置４は、このセンサ値を受け取り、対象者の夜尿の有無及び夜尿時刻の判定を行う。なお、夜尿センサ２１のセンサの種類や検知対象である物理情報に特に制限はなく、例えば、臭気センサ、温度センサ、湿度センサ等を用いて夜尿を検知してもよい。情報発信手段２０１は、通信部２４に夜尿センサ２１により取得された夜尿に関する情報の発信指示を出力することにより、センサ値が送信される。
【００３５】
本実施形態において、姿勢センサ２２は、姿勢センサ２２の水平方向に対する角度をセンサ値として取得する。情報管理装置４は、このセンサ値を受け取り、対象者の入床状態及び離床状態を含む姿勢や、トイレの為の離床時刻の判定等を行う。また、姿勢センサ２２は、加速度をセンサ値として取得し、情報管理装置４は、加速度に関するセンサ値に基づいて、例えば対象者がトイレに移動する動作等を判定する。なお、姿勢センサの種類や数量、検知対象である物理情報に制限はなく、例えば、傾斜センサ、ジャイロセンサ、加速度センサ等により取得した物理情報を基に対象者の姿勢を判定してもよい。情報発信手段２０１は、通信部２４に姿勢センサ２２により取得された姿勢に関する情報の発信指示を出力することにより、センサ値が送信される。
【００３６】
図３（ａ）に示すように、警報装置３は、警報装置を操作する為の入力部３１と、警報を出力する為の出力部３２と、制御部３３と、通信部３４と、記憶部３５と、を備える。図３（ｂ）は、警報装置３の斜視図であり、図３（ｃ）は、警報装置３の底面図である。本実施形態では、警報装置３は入力部３１として、発光のオンオフを切り替える発光制御部３１ａと、アラームのオンオフを切り替えるアラーム制御部３１ｂと、アラームの音量を調整するアラーム調整部３１ｃ等の物理接点スイッチを備える。警報の設定を行う為の物理接点スイッチを警報装置３に設ける構成に代えて又は加えて、情報管理装置４等のパーソナルコンピュータやスマートフォンから操作可能なソフトウェアスイッチによって、警報の設定が可能であってもよい。また、警報装置３は出力部３２として、スピーカ３２ａと、発光部３２ｂを備える。警報装置３は、対象者の夜尿についてスピーカ３２ａより出力されるアラーム及び発光部３２ｂの発光による警報を発する。
【００３７】
制御部３３は、演算装置（ＣＰＵ）、主記憶装置（ＲＡＭ）、補助記憶装置を備える。また、警報装置３は、機能構成要素として、情報受信手段３０１と、警報手段３０２と、中継情報記憶手段３０３と、情報送信手段３０４と、を備える。
【００３８】
警報装置３において上述した機能構成要素を論理的に実現するには、補助記憶装置に警報プログラムをアプリケーションプログラムとしてインストールしておく。そして、警報装置３においては、電源投入を契機に、演算装置がこの処理プログラムを主記憶装置に展開して実行する。
【００３９】
情報受信手段３０１は、センサ装置２より発信されたセンサ情報を受信する。警報手段３０２は、センサ情報における夜尿に関する情報に基づいて、出力部３２に警報指示を出力する。警報指示は、例えば、夜尿に関する情報として取得されたセンサ値が予め設定されたしきい値を超えた場合に出力される。出力部３２は、警報指示に応じて、発光又はアラームの少なくとも何れか一方を用いて警報を発する。警報は対象者又は対象者の家族等に、対象者の夜尿を通知し、対象者の起床を促す。これによって、対象者に自身の夜尿を自覚させるアラーム治療が施される。
【００４０】
中継情報記憶手段３０３は、取得された夜尿に関する情報、姿勢に関する情報、センサ装置２の着脱に関する情報を、受信した日付及び時刻と対応付けて中継情報として記憶部３５に格納する。本実施形態において、中継情報記憶手段３０３は、任意の一定時間において取得された情報について、同じ日付を付与する。例えば、当日ＰＭ７時から翌日ＡＭ９時迄の時間において取得された情報について、当日の日付が付与される。情報送信手段３０４は、情報管理装置４からの送信リクエストに応じて、通信部３４に中継情報の送信指示を出力し、通信部３４は中継情報を情報管理装置４に送信する。
【００４１】
情報管理装置４は、対象者又は対象者の家族等が所有する通信端末装置であり、データ通信機能を有する構成であれば、コンピュータ端末（パーソナルコンピュータ、タブレット端末及びスマートフォン端末を含む）の少なくとも１つを含む単独構成または複合構成をそれぞれ採り得る。
【００４２】
情報管理装置４は、図５に例示するように、ハードウェア及び機能の構成要素を含んでいる。すなわち、情報管理装置４は、ハードウェア構成要素として、演算装置（ＣＰＵ（Central Processing Unit））４１と、作業用メモリとしての主記憶装置（ＲＡＭ（Random Access Memory））４２とを備える。
【００４３】
情報管理装置４は、通信制御部４３と、ＮＩＣ（Network Interface Card）などの通信インタフェース（ＩＦ）部４４、ＯＳ（Operating System）、アプリケーションプログラム、及び各種情報（データを含む）を書換え可能に格納するＨＤＤやＳＳＤ、フラッシュメモリ等の補助記憶装置４５と、表示制御装置４６と、表示部４７と、情報入力・指定部４８とを、更に備える。
【００４４】
情報管理装置４は、後に詳述する機能構成要素として、情報取得手段４０１、判定手段４０２、夜尿情報出力手段４０３、入力手段４０４及びデータベースＤＢを備える。
【００４５】
情報管理装置４において上述した機能構成要素（４０１−４０４）を論理的に実現するには、補助記憶装置４５に情報管理プログラムをアプリケーションプログラムとしてインストールしておく。そして、情報管理装置４においては、電源投入を契機に、演算装置（ＣＰＵ）４１がこの処理プログラムを主記憶装置（ＲＡＭ）４２に展開して実行する。
【００４６】
情報取得手段４０１は、情報管理装置４を介して入力された中継情報の送信リクエストを警報装置３に送信する。更に、情報取得手段４０１は、警報装置３より送信された中継情報を受信し、データベースＤＢに格納する。
【００４７】
判定手段４０２は、データベースＤＢに格納された中継情報に基づいて、夜尿症治療に必要なデータを判定する。本実施形態における、判定手段の処理について図５を用いて説明する。なお、Ｓ１０１〜Ｓ１１１の判定手段４０２における処理は、データベースＤＢに格納された中継情報の日付毎に行われる。
【００４８】
はじめに、Ｓ１０１において、判定手段４０２は、センサ装置２の装着に関する情報に基づいて、センサ装置２の装着を判定する。センサ装置２の装着を判定後、続くＳ１０２において、判定手段４０２は、対象者の姿勢に関する情報に基づいて対象者の入床状態を判定する。入床状態は、姿勢に関する情報において対象者が就寝する為の姿勢となって一定時間経過することによって判定される。就寝するための姿勢とは、例えば、仰臥位、側臥位、伏臥位などの臥位であり、少なくとも立位及び座位と区別される。なお、入床状態は、対象者が一定時間同じ姿勢を維持することによって判定されてもよい。Ｓ１０２において、入床状態が判定されると、Ｓ１０３において、判定手段４０２は、対象者が就寝したと判定し、入床状態として判定された姿勢に関する情報に対応付けて記憶される時刻のうち、最も早い時刻を就寝時刻として判定する。
【００４９】
次に、判定手段４０２は、Ｓ１０４において、夜尿に関する情報に基づいて、夜尿の有無を判定する。夜尿に関する情報として取得されたセンサ値が予め設定されたしきい値を超えた場合、夜尿有が判定される。それ以外の場合、夜尿無が判定される。夜尿有が判定された場合（Ｓ１０４でＹＥＳ）、判定手段４０２は、Ｓ１０５において、夜尿有として判定された夜尿に関する情報に対応付けて記憶される時刻のうち、最も早い時刻を夜尿時刻として判定する。更に、続くＳ１０６において、判定手段４０２は、夜尿時刻から一定時間における姿勢に関する情報に基づいて、対象者の離床状態を判定する。離床状態は、姿勢に関する情報において対象者が少なくとも立位又は座位となって一定時間経過することによって判定される。Ｓ１０６において判定される離床状態は、対象者が警報装置３によって出力される警報により実際に覚醒したことを示す。また、判定手段４０２は、夜尿時刻から離床状態に至る迄の経過時間により異なる判定をしてもよい。例えば、夜尿時刻から時間ｔ１以内に離床状態が判定されれば対象者の自己覚醒であり、夜尿時刻から時間ｔ１以上経過後に離床状態が判定されれば他者により促された覚醒であると判定される。なお、判定手段４０２は、夜尿時刻から時間ｔ２（ｔ２＞ｔ１）経過後に離床状態を判定できない場合、又はセンサ装置２の取外しに関する情報が夜尿時刻から一定時間経過後に取得されない場合、対象者は覚醒しなかったと判定する。また、判定手段４０２は、更に詳細に立位、座位、半座位等を区別して判定したり、姿勢の変化回数について判定してもよい。詳細な姿勢を判定することにより、対象者の夜尿後の覚醒度合が推定される。Ｓ１０６の判定後、判定手段４０２は、例えばＳ１０７に進み処理を続行する。なお、おむつの交換の為にセンサ装置２が取外され、再びセンサ装置２が新しいおむつに装着された場合、判定手段４０２は、Ｓ１０１から処理を再開するが、Ｓ１０３で就寝時刻を判定しなくてもよい。
【００５０】
判定手段４０２は、夜尿無が判定されている場合（Ｓ１０４でＮＯ）、続くＳ１０７において、姿勢に関する情報に基づいて対象者の離床状態を判定する。離床状態の判定は、Ｓ１０６と同様に、姿勢に関する情報において対象者が少なくとも立位又は座位となって一定時間経過することによって判定されるが、判定の基準となる一定時間としてＳ１０６と異なる時間が設定されてもよい。なお、Ｓ１０７では、加速度に関するセンサ値に基づいて離床状態が判定されてもよい。
【００５１】
Ｓ１０７における離床状態の判定後、Ｓ１０８において判定手段４０２は、センサ装置２の取外しに関する情報に基づいて、センサ装置２の取外しを判定する。センサ装置２が取り外されていない場合（Ｓ１０８でＮＯ）、判定手段４０２は更にＳ１０９において、対象者の入床状態を判定する。入床状態の判定は、Ｓ１０２と同様の処理を行う。Ｓ１０９において、入床状態が判定された場合、判定手段４０２は続くＳ１１０において、Ｓ１０７で離床状態として判定された姿勢に関する情報に対応付けて記憶される時刻のうち、最も早い時刻を排泄時刻として判定する。排泄時刻は、対象者が随意で排泄した時刻であり、例えば、対象者が自身の尿意に気付きトイレに行って排泄した時刻を意味する。判定手段４０２は、Ｓ１１０の排泄時刻の判定後、例えば、Ｓ１０４に戻って処理を続行する。
【００５２】
Ｓ１０８においてセンサ装置が取り外されたと判定された場合、Ｓ１１１において、判定手段４０２は、Ｓ１０７において離床状態として判定された姿勢に関する情報に対応付けて記憶される時刻のうち、最も早い時刻を起床時刻として判定する。
【００５３】
なお、警報装置３の制御部３３が、判定手段４０２を備え、Ｓ１０１〜Ｓ１１１の判定処理を実行してもよい。その場合、情報送信手段３０４は、判定結果を含めた中継情報を情報管理装置４からの送信リクエストに応じて送信する。
【００５４】
判定手段４０２によって判定された判定結果は日付と対応付けられて、夜尿情報としてデータベースＤＢに格納される。夜尿情報は、対象者の夜尿症治療の為の情報であり、就寝時刻、起床時刻、夜尿量、起床後の尿量、警報装置の停止者、対象者の識別情報、夜尿の有無、夜尿時刻、排泄時刻、対象者の夜尿後の覚醒状態等を含む。図６（ｃ）は、夜尿情報のデータ構造の一例を示す。夜尿情報は、判定手段４０２の判定結果及び入力手段４０４の入力結果に基づいてデータベースＤＢに格納される。判定手段４０２によって夜尿時刻又は排泄時刻が複数判定された場合、少なくとも最も早い時刻がデータベースＤＢに格納される。夜尿後の覚醒状態は、姿勢センサ２２により取得された角度に関するセンサ値を示す。夜尿後の覚醒状態は、対象者の夜尿後において一定間隔で取得される全ての角度に関するセンサ値を含んでもよい。例えば、角度に関するセンサ値が９０の場合、対象者が立位又は座位となったことを示す。
【００５５】
次に、判定手段４０２による判定結果を用いて、夜尿症治療の為の夜尿情報を出力する処理について、図６〜図８を参照して説明する。
【００５６】
夜尿情報出力手段４０３は、情報管理画面を表示処理し、表示処理結果を表示部４７に送信する。表示部４７は表示処理結果に基づいて情報管理画面を表示する。図６（ａ）、図６（ｂ）、図７（ａ）、図７（ｂ）は、情報管理画面の画面表示例である。図６（ａ）の入力画面Ｗ１は、日付表示部Ｗ１１、夜尿情報入力部Ｗ１２、離床状態入力部Ｗ１３、メモ入力部Ｗ１４を備える。
【００５７】
夜尿情報出力手段４０３は、夜尿情報に基づいて、日付表示部Ｗ１１、夜尿情報入力部Ｗ１２及び離床状態入力部Ｗ１３を表示処理する。入力手段４０４は、夜尿情報入力部Ｗ１２を介して、就寝時刻、起床時刻、夜尿量、起床後の尿量並びに、警報装置の停止者を含む夜尿情報の入力を受け付ける。夜尿情報出力手段４０３は、Ｓ１０６において判定手段４０２によって判定された離床状態に基づいて、離床状態入力部Ｗ１３を表示処理する。本実施形態の例として、Ｓ１０６において離床状態が判定された場合、夜尿情報出力手段４０３は、対象者がアラームにより覚醒したことを示す表示を出力処理する。夜尿情報出力手段４０３は、夜尿時刻から離床状態に至る迄の経過時間により異なる表示を出力してもよい。なお、Ｓ１０６において離床状態が一定時間判定されなかった場合や、対象者の夜尿後にセンサ装置の着脱が判定されなかった場合、夜尿情報出力手段４０３は、対象者が覚醒しなかったことを示す表示を出力する。これにより対象者にアラーム治療が適切に為されたかを記録することができる。入力手段４０４は、メモ入力部Ｗ１４を介して、テキストの入力を受け付ける。
【００５８】
図６（ｂ）の夜尿情報画面Ｗ２は、第１のグラフとしての排泄グラフＷ２１、第２のグラフとしての起床グラフＷ２２、第３のグラフとしての就寝グラフＷ２３、夜尿情報表示部Ｗ２４、夜尿結果Ｗ２５を備える。夜尿情報出力手段４０３は、夜尿の有無、及び排泄時刻の判定結果に基づいて少なくとも３つのステータスによって夜尿結果Ｗ２５を表示処理する。本実施形態では、夜尿した場合は表示なし、夜尿せず対象者の随意でトイレで排泄した場合は星、夜尿せず対象者の随意でトイレでも排泄しなかった場合は花丸が夜尿結果Ｗ２５に表示される。
【００５９】
夜尿情報出力手段４０３は、同じ日付の夜尿情報として格納された夜尿時刻又は排泄時刻の何れかのうち最も早い時刻を用いて、時刻の時系列の変化を示す排泄グラフＷ２１を表示処理する。ここで時系列とは、数日間に亘って格納された夜尿情報を表す。排泄グラフＷ２１は、夜尿時刻又は排泄時刻の何れか一方のみを表示するようにしてもよい。夜尿情報出力手段４０３は、起床時刻の時系列の変化に基づいて起床グラフＷ２２を形成し、前記就寝時刻の時系列の変化に基づいて就寝グラフＷ２３を形成し、それぞれ表示処理する。また、夜尿情報出力手段４０３は、図６（ｂ）に示すように、同じ時系列を有する就寝グラフＷ２３、排泄グラフＷ２１、起床グラフＷ２２を夜尿情報画面Ｗ２に同時に表示処理する。
【００６０】
夜尿情報出力手段４０３は、判定手段４０２による判定結果及び入力手段４０４による入力結果に基づいて、少なくとも排泄グラフＷ２１の時系列と対応付けて夜尿情報表示部Ｗ２４をグラフと並べて出力処理する。
【００６１】
図７（ａ）の夜尿記録画面Ｗ３は、月表示部Ｗ３１、夜尿記録表示部Ｗ３２、コメント部Ｗ３３を備える。夜尿情報出力手段４０３は、同月の日付の夜尿情報に基づいて夜尿結果を夜尿記録表示部Ｗ３２にカレンダー形式で一覧表示させる為の出力処理をする。夜尿情報出力手段４０３は、月表示部Ｗ３１を介して入力を受け付け、夜尿記録表示部Ｗ３２に異なる月の夜尿結果を出力処理する。コメント部Ｗ３３は、夜尿結果の集計結果に基づいて異なるコメントを表示する。
【００６２】
図７（ｂ）は夜尿情報を通信端末装置に送信する為の出力を行う出力画面Ｗ４の画面表示例である。出力画面Ｗ４は、出力期間入力部Ｗ４１、ＱＲコード出力部Ｗ４２、ＣＳＶファイル出力部Ｗ４３、送信先入力部Ｗ４４を備える。本実施形態では、夜尿情報出力手段４０３は、出力期間入力部Ｗ４１を介して日付の入力を受け付け、入力された日付から３０日分の期間の夜尿情報を送信する為の出力処理を行うが、異なる期間が設定されてもよい。日付の入力後、夜尿情報出力手段４０３は、ＱＲコード出力部Ｗ４２又はＣＳＶファイル出力部Ｗ４３を介して、出力形式の選択の入力を受け付ける。ＱＲコード出力部Ｗ４２が選択された場合、夜尿情報出力手段４０３は、夜尿情報をＱＲコード（登録商標）に変換し、表示部４７に表示させる。このＱＲコードを読み取ることにより、夜尿情報や夜尿情報を取得する為のＵＲＬを取得することができる。ＵＲＬを取得した場合、ＵＲＬのアクセス先から、対象者の夜尿情報が取得される。ＣＳＶファイル出力部Ｗ４３が選択する場合、夜尿情報出力手段４０３は、送信先入力部Ｗ４４を介して入力されたＣＳＶファイルの送信先に対して、ＣＳＶファイルを送信する為の出力処理を行う。送信先は、メールアドレス、電話番号、その他ＩＤなど送信先を特定できる情報であれば特に制限はない。また、ＱＲコードによる出力又は、ＣＳＶファイルによる出力の何れの場合であっても、夜尿情報出力手段４０３は、対象者の識別情報を夜尿情報に含めて出力処理を実行する。なお、情報管理装置４は、データベースＤＢに格納された夜尿情報をクラウドサービスに送信し、通信端末装置はクラウドサービスにアクセスすることにより、夜尿情報を取得できる構成としてもよい。
【００６３】
図８は、夜尿情報出力手段４０３によって出力されたＱＲコードやＣＳＶファイル等により夜尿情報を受け取った通信端末装置において表示される診断画面Ｗ５の画面表示例である。本実施形態では、通信端末装置は、インターネット回線を介して配布されるスプレッドシート（登録商標）に、受け取った夜尿情報を入力することにより診断画面Ｗ５を表示させる。通信端末装置は、対象者の夜尿症治療を行う主治医等が所有する端末装置であって、データ通信機能を有する構成であれば、コンピュータ端末（パーソナルコンピュータ、タブレット端末及びスマートフォン端末を含む）の少なくとも１つを含む単独構成または複合構成をそれぞれ採り得る。診断画面Ｗ５を参照することによって、主治医は対象者の夜尿症の症状を診断できる。なお、通信端末装置において取得できる夜尿情報は、データベースＤＢに格納される全ての夜尿情報であって、診断画面Ｗ５は、夜尿情報画面Ｗ２において表示されない夜尿情報に基づく表示をしてもよい。
【符号の説明】
【００６４】
１  夜尿症治療システム
２  センサ装置
２１  夜尿センサ
２２  姿勢センサ
２３  制御部
２４  通信部
２０１  情報発信手段
３  警報装置
３１  入力部
３１ａ  発光制御部
３１ｂ  アラーム制御部
３１ｃ  アラーム調整部
３２  出力部
３２ａ  スピーカ
３２ｂ  発光部
３３  制御部
３４  通信部
３５  記憶部
３０１  情報受信手段
３０２  警報手段
３０３  中継情報記憶手段
３０４  情報送信手段
４  情報管理装置
４１  演算装置（ＣＰＵ）
４２  主記憶装置（ＲＡＭ）
４３  通信制御部
４４  通信ＩＦ部
４５  補助記憶装置
４６  表示制御装置
４７  表示部
４８  情報入力・指定部
４０１  情報取得手段
４０２  判定手段
４０３  夜尿情報出力手段
４０４  入力手段
ＤＢ  データベース
５  吸収性物品
５１  物品本体
５２  導電部
【図１】
0006903349.tif 000002
【図２】
0006903349.tif 000003
【図３】
0006903349.tif 000004
【図４】
0006903349.tif 000005
【図５】
0006903349.tif 000006
【図６】
0006903349.tif 000007
【図７】
0006903349.tif 000008
【図８】
0006903349.tif 000009